(57)【要約】最初に、試験表面または検査されるべき表面上の除去可能な粒子を検出する方法および装置である。この除去可能な粒子は、キャリヤー（４０６）上の粘着性表面（１３０）の一部分に、接着することにより移され、そして次に、上記試験表面から粘着性表面の一部分を除去する。このキャリヤー（４０６）は、位置決め手段（１３１）によって受容され、そしてコントローラー（１７０）によって案内される表面検査手段の視野を通過する。この表面検査手段からのシグナルは、コントローラー（１７０）からの座標と組み合わせられ、粒子座標（５１１）を生成し、これは、最初に、上記試験表面上の粒子を示す。粘着性表面（１３０）が試験表面（５１２）と接触かつそれから除去される前に測定された粘着表面（１３０）上の粒子座標（５１１）は、粘着性表面（１３０）が試験表面（５１２）と接触かつそれから除去される後に測定された粒子座標（５１１）と比較され得る。【特許請求の範囲】
【請求項１】
試験表面から除去可能な粒子を得、該粒子を凸面表面上の粒子の座標を検出するスキャナ手段に輸送するためのサンプラーであって、該サンプラーが、回転連結を有するハンドル手段を用いるオペレーターによって操作され、該スキャナ手段がハンドル手段を機械的に受けることが可能であり、そして該スキャナ手段が、整列マーク座標に対して粒子の座標を移動させることができ、該サンプラーが、以下：
粘着性の凸面表面を有するキャリヤーであって、該キャリヤーは、ハンドル手段における該回転連結と機械的に係合する軸特徴を有するほぼ円柱形であり、該粘着性凸面表面は、接触および引き続く分離の際に除去可能な粒子を試験表面から該粘着性の凸面表面上に移動させるように適合される一方で、該試験表面と該粘着性の凸面表面との間のきれいな分離を与える、キャリヤー；および
粘着性の凸面表面に近接する整列マークであって、該整列マークが、該粘着性凸面表面上の粒子の特徴を再現するように構成され、これにより該オペレーターが、軸特徴に係合されるハンドル手段を操作し、該試験表面と交差する粘着性の凸面表面を回転させることによって、該試験表面を該粘着性の凸面表面の一部に接着し、そして該試験表面から該粘着性の凸面表面の一部を除去し、該オペレーターが、該ハンドル手段および該係合されたキャリヤーを該スキャナ手段に輸送し、該スキャナ手段が、該キャリヤーと係合された該ハンドル手段を機械的に受けることによって該粘着性の凸面表面を有するキャリヤーを走査し、該スキャナ手段が、該粘着性表面上の粒子の座標を検出し、該スキャナ手段が、該粘着性の表面に近接する該整列マークの整列マーク座標を検出し、そして該スキャナ手段が、整列マーク座標に対する該粒子の座標を参照する、整列マーク
を備える、サンプラー。
【請求項２】
請求項１に記載の装置であって、前記凸面表面の前記粘着性の部分が、以下の組成物：親水性ポリウレタン、アクリル製感圧接着剤、シリコーン感圧接着剤およびゴム感圧接着剤の少なくとも１つを備える、装置。
【請求項３】
請求項１に記載の装置であって、前記凸面表面の前記粘着性部分が、該凸面表面の該粘着性部分の表面抵抗率を１平方センチメートル当たり１０１２Ω以下に減少させる静的消失手段をさらに備える、装置。
【請求項４】
請求項１に記載の装置であって、前記スキャナ手段が、光学的な照射を利用し、前記凸面表面の粘着性部分が、該粘着性凸面表面を通って送られる光学的照射を実質的に吸収する光学的吸収材料をさらに備える、装置。
【請求項５】
請求項１に記載の装置であって、該装置が、前記凸面表面の粘着性部分を、保存および操作の間に不純物から単離する取り外し可能な保護フィルムをさらに備え、これにより該取り外し可能な保護フィルムが、該凸面表面の粘着性部分から取り外され、その後前記オペレーターが、前記試験表面と交差する該粘着性の凸面表面の該部分を回転させる、装置。
【請求項６】
請求項１に記載の装置であって、該装置が、前記キャリヤーと前記凸面表面の粘着性部分との間に挿入される、コンプライアンスを持ち弾力のある重合体の発泡体円柱形シェルをさらに備える、装置。
【請求項７】
請求項１に記載の装置であって、前記整列マークが、以下：堆積された特徴、印刷された特徴、埋められた天然の特徴、刻まれた特徴、除去された特徴、および反応した特徴の少なくとも１つを備える、装置。
【請求項８】
請求項１に記載の装置であって、該装置が、前記粘着性の表面に近接する一連の整列マークをさらに備え、該一連の整列マークの相対的空間位置が、コードされたデータを形成する、装置。
【請求項９】
除去可能な粒子を試験表面から得、該粒子を凸面表面上の粒子の座標を検出するスキャナ手段に輸送するためのサンプラーであって、該サンプラーが、回転連結を有するハンドル手段を用いるオペレーターによって操作されており、そして該スキャナ手段がハンドル手段を機械的に受けることが可能であり、該サンプラーが、以下：
凸面表面を有するキャリヤーであって、該キャリヤーは、該ハンドル手段における該回転連結と機械的に係合することが可能な軸および軸特徴を有するほぼ円柱形である、キャリヤー；
軸長さを有する該凸表面の粘着性部分であって、該凸面表面の粘着性部分が、最初に除去可能な粒子を接触および引き続く分離の際に、該試験表面から該凸面表面の該接着性部分に移動させるよう適合される一方、該試験表面と該凸面表面の該粘着性部分との間のきれいな分離を与え、これにより、該オペレーターが最初に除去可能な粒子を該軸特徴に係合した該ハンドル手段を操作し、該試験表面と交差する該粘着性凸面表面の該部分を回転させることによって該試験表面から該凸面表面の該粘着性部分に移動させる、粘着性部分；ならびに
該凸面表面の該粘着性部分より小さい面積を有する該凸面表面の低粘着性部分であって、該凸面表面の該低粘着性部分が、該試験表面にほとんど接着しないように適合され、該凸面表面の該低粘着性部分が、該凸面表面の該粘着性表面の軸長さに広がり、これにより該オペレーターが、該凸面表面の低粘着性表面のみが該試験表面に接触する向きへ該凸面表面を最初に回転させることにより、続いて該キャリヤーを該試験表面から遠くへ移動させることにより、該凸面表面が、該試験表面から取り外され、続いて該オペレーターが、該キャリヤーに係合された該ハンドル手段を該スキャナ手段に輸送し、該スキャナ手段が該キャリヤーと係合した該ハンドル手段を機械的に受けることによって該粘着性表面を有する該キャリヤーを走査し、該スキャナ手段が該粘着性表面上の粒子の座標を検出する、低粘着性部分
を備える、サンプラー。
【請求項１０】
請求項９に記載の装置であって、前記スキャナ手段が、整列マーク座標に対して粒子の座標を移動させることが可能であり、該装置が、以下：
前記凸面表面に近接する整列マークであって、該整列マークが、該凸面表面上の粒子の特徴を再現するように構成され、これにより該スキャナ手段が、該凸面表面に近接する該整列マークの整列マーク座標を検出し、そして該スキャナ手段が、該整列マーク座標に対する該粒子の座標を参照する、装置。
【請求項１１】
請求項１０に記載の装置であって、前記整列マークが、以下：堆積された特徴、印刷された特徴、埋められた天然の特徴、刻まれた特徴、除去された特徴、および反応した特徴の少なくとも１つから構成される、装置。
【請求項１２】
請求項１０に記載の装置であって、該装置が、前記凸面表面に近接する一連の整列マークをさらに備え、該一連の整列マークの相対的空間位置が、コードされたデータを形成する、装置。
【請求項１３】
請求項９に記載の装置であって、前記凸面表面の前記粘着性の部分が、以下の組成物：親水性ポリウレタン、アクリル製感圧接着剤、シリコーン感圧接着剤およびゴム感圧接着剤の少なくとも１つを備える、装置。
【請求項１４】
請求項９に記載の装置であって、前記凸面表面の前記粘着性部分が、該凸面表面の該粘着性部分の表面抵抗率を１平方センチメートル当たり１０１２Ω以下に減少させる静的消失手段をさらに備える、装置。
【請求項１５】
請求項９に記載の装置であって、前記スキャナ手段が、光学的な照射を利用し、前記凸面表面の前記粘着性部分が、該粘着性凸面表面を通って伝達される光学的照射を実質的に吸収する光学的吸収材料をさらに備える、装置。
【請求項１６】
請求項９に記載の装置であって、該装置が、前記凸面表面の前記粘着性部分を、保存および操作の間に不純物から単離する取り外し可能な保護フィルムをさらに備え、これにより該取り外し可能な保護フィルムが、該凸面表面の該粘着性部分から取り外され、その後前記試験表面と交差する該粘着性の凸面表面の該部分を回転させる、装置。
【請求項１７】
請求項９に記載の装置であって、該装置が、前記キャリヤーと前記凸面表面の前記粘着性部分との間に挿入されるコンプライアンスを持ち弾力のある重合体の発泡体円柱形シェルをさらに備える、装置。
【請求項１８】
除去可能な粒子を試験表面から得、該粒子を外部表面を有する可撓性のシート上の粒子の座標を検出するスキャナ手段に輸送するためのサンプラーであって、該サンプラーがマニピュレーター手段によって該試験表面に適用されており、該スキャナ手段が整列マーク座標に対して粒子の座標を移動し得、該サンプラーが、以下：
凸面表面、軸および軸特徴を有する円柱形コアであって、該軸特徴によって、該円柱形コアが該マニピュレーター手段と機械的に係合することを可能にし、該軸特徴によって、円柱形コアが該スキャナ手段と機械的に係合することを可能にする、円柱形コア；
内部表面および反対側の外部表面を有する可撓性のシートであって、該内部表面の一部が該円柱形コアの該凸面表面の一部と接着しており、該可撓性のシートが該円柱形コアの該軸と並行に軸長さを有しており、該外部表面が粘着性部分および低粘着性部分を備え、該外部表面の該粘着性部分が接触および引き続く分離の際に、除去可能な粒子を該試験表面から該外部表面の該粘着性部分へ移動させるように適合される一方、該試験表面と該外部表面の該粘着性表面との間のきれいな分離を与え、該外側表面の該低粘着性部分が該試験表面とほとんど接着しないように適合され、該凸面表面の該低粘着性部分が該可撓性のシートの該軸長さに広がっている、可撓性のシート；ならびに
該可撓性のシートの該外部表面に近接している整列マークであって、該整列マークが該可撓性の表面上の粒子の特徴を再現するように構成されており、ここで
該マニピュレーター手段が該円柱形コアと機械的に係合しており、
該マニピュレーター手段が、最初に除去可能な粒子を該試験表面に交差して該粘着性外部表面の該部分を回転させることによって該試験表面から該外部表面の該粘着性部分に移動させ、
該マニピュレーター手段が、該外部表面の該低粘着性部分のみが該試験表面と接触している向きに対して該外部表面を最初に回転させ、続いて該円柱形コアを該試験表面におよそ垂直な該試験表面から遠くに移動させることによって、該外部表面の該粘着性部分を該試験表面から取り外し、
該スキャナ手段が、該軸特徴を機械的に係合させることによって該円柱形コアを受け、そして
該スキャナ手段が、該可撓性のシートの該外部表面の該接着性部分上の粒子の座標を検出し、該スキャナ手段が、該可撓性シートの該外部表面に近接する該整列表面の整列マーク座標を検出し、そして該スキャナ手段が該整列マーク座標に対する該粒子の座標を参照する
整列マーク
を備える、サンプラー。
【請求項１９】
除去可能な粒子を試験表面から得、該粒子を、外部表面を有する可撓性のシート上の粒子の座標を検出するスキャナ手段に輸送するためのサンプラーであって、該サンプラーがマニピュレーター手段によって該試験表面に適用されており、該マニピュレーターが、接着解放手段を備え、該スキャナ手段が整列マーク座標に対して粒子の座標を並進し得、該サンプラーが、以下：
凸面表面、軸および軸特徴を有する円柱形コアであって、該軸特徴が該円柱形コアが該マニピュレーター手段と機械的に係合することを可能にし、該軸特徴が該円柱形コアが該スキャナ手段と機械的に係合することを可能にする、円柱形コア；
内部表面および反対側の外部表面を有する可撓性のシートであって、該内部表面の一部が該円柱形コアの該凸面表面の一部と接着しており、該外部表面の一部が改変可能な粘着性表面を備え、該改変可能な粘着性表面が、該試験表面と該粘着性表面との間の接着の際に、除去可能な粒子を該試験表面から該改変可能な粘着性表面に移動するように適合される該接着開放手段が該改変可能な粘着性表面を該試験表面から容易に除去させる、可撓性のシート；ならびに
該可撓性のシートの該外部表面に近接している整列マークであって、該整列マークが該可撓性の表面上の粒子の特徴を再現するように構成されており、それにより、
該マニピュレーター手段が、該円柱形コアと機械的に係合し、
該マニピュレーター手段が、該改変可能な粘着表面を該試験表面に接着させることによって、除去可能な粒子を該試験表面から該改変可能な粘着表面に最初に移動させ、
該接着解放手段が、該改変可能な粘着表面を改変し、その結果該粘着表面が該試験表面から容易に外れ、
該マニピュレーター手段が、該改変された粘着性表面を該試験表面から取り外し、
該スキャナ手段が、該軸特徴を機械的に係合させることによって該円柱形コアを受け、そして
該スキャナ手段が、該改変可能な粘着性表面上の粒子の座標を検出し、該スキャナ手段が、該外部表面可撓性シートに近接する該整列マークの整列マーク座標を検出し、該スキャナ手段が該整列マーク座標に対する該粒子の座標を参照する、
整列マーク、
を備える、サンプラー。
【請求項２０】
除去可能な粒子をサンプラーを用いて試験表面から得、該粒子を、外部表面を有する可撓性のシート上の粒子の座標を検出するスキャナ手段に輸送するための方法であって、該サンプラーが、マニピュレーター手段によって該試験表面に適用されており、該スキャナ手段が整列マーク座標に対して粒子の座標を並進させ得、該方法が、以下：
円柱形コアの軸特徴をマニピュレーター手段と係合させる工程であって、該円柱形コアが凸面表面および軸を有し、該凸面表面の一部が反対側の外部表面を有する可撓性シートの該内部表面の一部に接着しており、該外部表面が粘着性部分を備え、該粘着性部分は、該試験表面と該外部表面の該粘着性部分との間のきれいな分離を与えつつ、接触および引き続く該試験表面と該粘着性部分との間の分離の際に、除去可能な粒子を該試験表面から該外部表面の該粘着性部分に移動させるように適合される、工程；
該試験表面に接触している該外部表面を回転させ、該試験表面を該マニピュレーター手段を用いて該外部表面の該粘着性部分に接着させることによって、該試験表面上の粒子をサンプリングする工程；
該円柱形コアを該試験表面に対する垂線にほぼ沿って、該試験表面から遠くへ移動させることによって、該試験表面から該外部表面を除去する工程；ならびに
該円柱形コアの軸特徴を該スキャナ手段と係合させる工程であって、これにより該スキャナ手段が該可撓性のシートの該外部表面の該粘着性部分上の粒子の座標を検出し、該スキャナ手段が該外部表面の可撓性シートに近接する該整列マークの整列マーク座標を検出し、該スキャナ手段が該整列マーク座標に対する該粒子の座標を参照する工程
を包含する、方法。
【請求項２１】
請求項２０に記載の方法であって、前記外部表面が粘着性部分および低粘着性部分を有し、該低粘着性部分が該外部表面の前記軸長さにわたるストリップを備え、該方法が、以下：
該外部表面を配向させ、その結果該外部表面の該低粘着性部分が、該試験表面と接触し、その後該外部表面を前記試験表面から除去する工程、
をさらに包含する、方法。
【請求項２２】
除去可能な粒子をサンプラーを用いて試験表面から得、該粒子を凸面表面上の粒子の座標を検出するスキャナ手段に輸送するための方法であって、該サンプラーが、回転連結を有するハンドル手段を用いてオペレーターによって操作されており、該スキャナ手段が整列マーク座標に対して粒子の座標を移動させ得、該スキャナ手段が該ハンドル手段を機械的に係合し得、該方法が、以下：
該ハンドル手段の回転連結を凸面表面を有するほぼ円柱形のキャリヤーの軸特徴と係合させる工程であって、該凸面表面が粘着部分および低粘着部分を有し、該凸面表面の該粘着性部分が、該試験表面と該凸面表面の該粘着性部分との間のきれいな分離を与えつつ、接触および引き続く該試験表面と該粘着性部分との間の分離の際に、除去可能な粒子を該試験表面から該外部表面の該粘着性部分に移動させるように適合され、該凸面表面の該低粘着性部分が該試験表面とほとんど接着しないように適合され、該凸面表面の該低粘着性部分が該凸面表面の該粘着性部分の該軸長さにわたる、工程；
該試験表面に接触している該凸面表面を回転させ、該試験表面を該ハンドル手段のオペレーターによる操作によって該凸面表面の該粘着性部分に接着させることによって、該試験表面上の粒子をサンプリングする工程；
該試験表面が該凸面表面の該低粘着性部分と接触しており、かつ該試験表面が該外部表面の該粘着性部分と接触していない構成へと、該キャリヤーを最初に回転させ、続いて該キャリヤーを該試験表面から遠くへ移動させることによって、該凸面表面を該試験表面から除去する工程；ならびに
該キャリヤーに装着された該ハンドル手段を該スキャナ手段と係合させる工程であって、これにより該スキャナ手段が該可撓性シートの該凸面表面上の粒子の座標を検出し、該スキャナ手段が該凸面表面に近接する該整列マークの整列マーク座標を検出し、該スキャナ手段が該整列マーク座標に対する該粒子の座標を参照する工程、
を包含する、方法。
【発明の詳細な説明】
【技術分野】
【０００１】
（技術分野）
本発明は、製品、機械ツール、および作業領域の表面上の粒子汚染を制御することに関する。より詳細には、本発明は、半導体製造、データーストレージ製造、流体フィルター検査、ディスプレイ製造、クリーンルーム、薬品製造および取り扱い、精密機械製造、光学製品製造、航空宇宙産業、および保健医療産業において、表面上の除去可能な粒子の汚染を測定することに関する。
【背景技術】
【０００２】
（背景技術）
粒子汚染の定量測定は、検査表面上で検出された粒子の総数、検査表面上の面積あたりの粒子の総数、検査表面の面積あたりで検出された粒子の総数のサイズヒストグラム、蓄積粒子容量もしくは面積、またはこれら測定の組み合わせを含み得る。表面粒子の汚染の測定は、一般に、光散乱またはイメージ分析によって実施される。
【０００３】
米国特許第４，８９８，４７１号および同第５，３４３，２９０号は、半導体ウェーハーを検査するために最適化された表面粒子汚染測定を記載する。
【０００４】
米国特許第４，７６６，３２４号は、同じモニターウェーハーの２つの走査を比較し、これら２つの走査の間のウェーハーに付加される粒子またはこれから除去される粒子を決定することを記載する。
【０００５】
本発明もまた、表面から粒子を除去することに関する。より詳細には、本発明は、局在する欠陥を防ぐため、光学的またはビーム散乱を防ぐため、処理材料の交差汚染を防ぐため、表面の緊密な嵌合を可能にするため、磁気汚染を除去するため、および表面を清浄にするための製造システムで用いられる粒子汚染を除去するための清掃プロセスに関する。表面粒子除去は、一般に、溶媒の使用、流体せん断、超音波、粘着性表面への移動、または機械的攪拌で実施される。
【０００６】
米国特許第４，００９，０４７号は、清掃されるべきシートを粘着性ローラーと接触させることを記載する。
【０００７】
米国特許第４，７０５，３８８号は、ウェブ清掃粘着性ローラーが、更新を要求するときを、このローラーの光学的反射率を測定することによって決定することを記載する。
【０００８】
米国特許第５，３７３，３６５号は、ウェブ清掃ローラーの反射率を測定すること、およびそれからこのローラーの汚染レベルを推測することを記載する。
【０００９】
米国特許第５，６７１，１１９号は、半導体プロセスツールにおける静電気チャックを、チャックにダミーの粘着性ウェーハーを粘着および除去することによって清掃することを記載する。
【００１０】
米国特許第５，９０２，６７８号は、表面に帯電防止感圧フィルムを付与すること、このフィルムに紫外線光を照射すること、およびフィルムを除去することによって表面を清掃することを記載する。
【００１１】
米国特許第６，０２３，５９７号は、一致した帯電防止ローラーを形成するための方法を記載する。
【００１２】
Ｉｎｃｈｉｎｎａｎ、ＳｃｏｔｌａｎｄのＴｅｋｎｅｋ  Ｅｌｅｃｔｒｏｎｉｃｓ  Ｌｉｍｉｔｅｄは、最初に回路板を同形ゴムローラーと接触し、そして次にこのゴムローラーを接着剤被覆ローラーと接触するプリント回路板清掃製品を製造する。
【００１３】
本発明はさらに、表面を組み合わせ清掃すること、およびこの表面上の除去可能な粒子を測定することに関する。これらプロセスを組み合わせることは、そうでなければ現在利用可能な技法によって検査することが困難である表面を検査するために有用である。なぜなら、これら表面は、粗すぎるか、光学的に散乱しすぎるか、または大きすぎるからである。これらはまた有用である。なぜなら、これらは、製品に価値を付加する清掃プロセスを、このプロセスの制御を改善する測定と組み合わせるからである。
【００１４】
米国特許第５，２５３，５３８号は、Ｆｒｅｅｍｏｎｔ、ＣＡのＰｅｎｔａｇｏｎ  Ｔｅｃｈｎｏｌｏｇｉｅｓから入手可能な製品ＱＩＩＩ（登録商標）に具現化されている。それは、平坦表面を、ノズルアセンブリを用い、この表面を通るせん断ガスによって粒子を検査すること、そして次に空中にある粒子カウンタを用いてこのガスを検査することを記載する。
【００１５】
米国特許第５，９３９，６４７号は、平坦平面検査のために、ＱＩＩＩに類似のシステムを記載し、そこでは、サンプリングヘッドがジンバルによってハンドルに取り付けられる。
【００１６】
米国特許第６，２６９，７０３号は、表面から、この表面を通るせん断に付与される流体を用いて粒子を放出することを記載する。
【００１７】
Ｂｏｕｌｄｅｒ、ＣＯのＰａｒｔｉｃｌｅ  Ｍｅａｓｕｒｉｎｇ  ＳｙｓｔｅｍｓからのＳｕｒｆｅｘ製品は、水性浴中の超音波清浄、その後の液体粒子カウンターによる水の検査によって表面を検査する。
【００１８】
本発明はさらに、キャリヤー上の表面から除去された粒子を保持すること、このキャリヤー上の粒子の位置を決定すること、ならびにこのキャリヤーおよびこのキャリヤー上の粒子の位置を、電子顕微鏡、光学検査ステーション、およびＸ線吸光法のようなその他の分析機器に通過させることに関する。見出された粒子を保持することは、この測定技法にトレーサビリティーを与える。それは、記録されたキャリヤーについて実施されるべきフォローアップ分析を可能にし、製品故障の機構およびプロセス変化を分析する。
【００１９】
米国特許第５，６５５，０２９号は、標本上の目的領域を１つの顕微鏡で検査すること、および、この標本および座標を、自動化検査のために第２の顕微鏡に運搬することを記載する。
【発明の開示】
【発明が解決しようとする課題】
【００２０】
表面粒子除去と、擦り減らしたり、擦り剥くことのない、またはそうでなければ表面と相互作用してより多くの汚染を生成することのない粒子測定との組み合わせを提供することが所望され得る。この技法は、溶媒中の表面の浸漬を必要とせず、大きな、または垂直配向の、または溶媒感受性表面の検査を可能にすることを所望され得る。この技法は、複雑で、粗い、または平坦でない表面を清掃かつ検査し得ることを所望され得る。この技法は、制限または閉じ込められたアクセスの製造ツールの内面を検査および清掃し得ることを所望され得る。表面から除去および検出された粒子は、引き続き、代替の分析機器によって分析可能であることを所望され得る。
【課題を解決するための手段】
【００２１】
（発明の開示）
本発明は、最初に、試験表面または検査されるべき表面上の除去可能な粒子を検出する方法および装置である。この除去可能な粒子は、キャリヤー上の粘着性表面の一部分に、接着することにより移され、そして次に、上記試験表面から粘着性表面の一部分を除去する。このキャリヤーは、位置決め手段によって受容され、そしてコントローラーによって案内される表面検査手段の視野を通過する。この表面検査手段からのシグナルは、コントローラーからの座標と組み合わせられ、粒子座標を生成し、これは、最初に、上記試験表面上の粒子を示す。粘着性表面が試験表面と接触かつそれから除去される前に測定された粘着表面上の粒子座標は、粘着性表面が試験表面と接触かつそれから除去される後に測定された粒子座標と比較され得る。いくつかの試験表面が、同じキャリヤーを用い、各測定後の粒子座標を記憶すること、および最も新しい測定を、蓄積された先の測定と比較することによって連続的に検査され得る。このキャリヤーおよび関連する粒子座標は、次の分析のために他の分析機器に運搬され得る。
【発明を実施するための最良の形態】
【００２２】
（発明を実施するための様式）
粒子汚染は、表面のその他の特徴とは、粒子と元の表面との間に界面があることで異なり得る。この界面における接着が、表面材料の粘着に匹敵し得る場合、この粒子は、後に除去される可能性がなく、いくつかのプロセスまたは装置における粒子汚染になるように固く接着される。接着が、粒子が除去可能であるに十分弱い場合、この粒子は、汚染制御のためにより重要である。
【００２３】
特異性および簡潔さのため、本発明者らは、引き続き、検査されている表面に除去可能に接着するよう操作された「粘着性」表面を説明する。粘着性材料は、粘着性表面およびその近接容積を形成するバルク組成物である。接着の程度は、多くの因子に依存し、粘着性表面および検査されるべき表面の表面エネルギー、これらの表面上に吸着された液体層、これら表面上に吸着された分子汚染、表面間の接触時間および接触圧力、周囲温度、両方の表面のコンプライアンス、両方の表面の粗さに起因する機械的結合、内部拡散、および化学反応を包含する。一般に、粘着性表面と粒子との間のより高い接着力は、表面上のより大きなフラクションの粒子集団を取り除く。試験表面への強すぎる接着力をもつ粘着性表面は、失敗する機構を引き起こし得る。１つのこのような失敗する機構は、粘着性材料の粘着失敗であり；これは、試験表面上の粘着性材料の堆積部分に至り得る。別の失敗する機構は、試験表面への粘着性表面の永久的接着を形成することである。この粘着性表面は、試験下にある表面から、除去可能な粒子のサンプラーとして作用する。
【００２４】
シリコーンモニターウェーハー上に見出されるネイティブな酸化物のような、高表面エネルギーをもつ試験表面に対する粘着性表面は、相対的に低い接着力を有する必要があり、その結果、試験表面と粘着性表面との間の接着は、粘着性材料内の粘着力を超えない。合衆国、ＯｒｅｇｏｎのＵｌｔｒａＴａｐｅ  Ｉｎｄｕｓｔｒｉｅｓからの、クリーンルーム除去可能テープモデル１３１０上に見出される粘着性表面は、モニターシリコーンウェーハー上で用いられるとき、残渣なくして良好な粒子除去を示す。合衆国、Ｍｉｎｎｅｓｏｔａの３Ｍ  Ｃｏｍｐａｎｙからのモデル４６５８Ｆテープ上に見出されるような、より高い粘着性は、ポリカーボネートのようなより低い表面エネルギー試験表面に対して適切である。米国特許第５，９０２，６７８号は、良好な粒子除去特徴を示す可撓性バッキング上の感圧接着剤を記載する。米国特許第５，１８７，００７号は、ウェーハーダイシングで用いられる感圧接着剤を記載し；このフィルムの特徴は、それを、以下の実施形態における粘着性表面として有用にする。Ｇｅｌ−Ｐａｋ  Ｃｏｒｐｏｒａｔｉｏｎにより販売される粘着性フィルムは、予測可能に接着し、そして試験表面からきれいに剥がれる。この粘着性材料の最も好適な実施形態は、米国特許第３，８２１，１３６号に記載のタイプの親水性ポリウレタンである。この粘着性材料への好適な添加剤は、この粘着性材料が、静電気を散逸し得るようにこの材料のイオン電動度および電気伝導度を改善する添加剤を含み；粘着性表面に対する有用な最大抵抗は１０１２オーム／平方センチメートルである。この粘着性表面への好適な添加剤は、カーボンブラックのような染料または色素である。光吸収剤は、バックグラウンドおよび粘着性表面を透過する入射照射からの表面下光散乱を減少する。当業者は、この粘着性材料には可能の組成物のスペクトルが存在し、しかも、特定の試験表面は、特有の粘着性表面を必要とし得ることを認識する。
【００２５】
小粒子が大部分の粘着性表面上で、それらが、モニターシリコーンウェーハーのような、代表的には粒子検査のために用いられる表面上にあるときより検出することがなぜ困難であるか種々の理由がある。粘着性材料は、一般に、幾分、光学的に半透明であり；それらは、照射を強く吸収または反射せず、その結果、光は、表面下特徴、汚染物からの散乱、または屈折率の変動の後、粘着性表面から出現し得る。表面は、一般に、全体的に平坦または平滑ではなく、焦点を維持するために小視野を要求する局所的高さ変動を有する。表面は、一般に、局所的に平滑ではなく、その結果、表面散乱を減少するために、かすめ照射またはロイドのミラー収集が必要である。暗視野照射でさえ、粒子の光散乱特徴を模倣する表面不完全性が生じ得る。バルク成分の大きな分子量は、フィルターすることが困難であり、その結果、表面および照射強度に対する焦点位置における小変化に依存して検出可能性の中と外を揺らぎ得る、粘着性表面の下の粒子およびその他の汚染が存在し得る。バルク材料における屈折率変動は、比較的高いレベルのバックグラウンド光散乱を生成し得る。
【００２６】
粘着性表面は、代表的には、試験表面に接着されるべきとき、粒子がないようには見えない。これらの粒子シグナルのいくつかは、まさに記載したように，実際の粒子、屈折率変動、または表面不完全性に起因する。いくつかは、粘着性表面を取り扱いおよび貯蔵の間に環境汚染から隔離する、粘着性表面に付与される保護層から移される。いくつかは、粘着性表面を試験表面に付与する準備におけるその取り扱い由来である。
【００２７】
（実施形態１）
図１は、本発明の最も好適な実施形態を示し、ここでは、粘着表面（１３０）をもつキャリヤーが、表面検査手段（１００）の視野中にある位置決め手段（１３１）上に取り付けられている。このキャリヤーは、試験表面に接着され、かつそれから除去される前、第１の試験表面に付与され、かつそれから除去される後、または、連続するいくつかの試験表面への付与およびそれからの除去の後に検査され得る。
【００２８】
この実施形態の表面検査手段（１００）は、自動化暗視野光学的顕微鏡である。バッフル（１０４）によって空間的にフィルターされるハロゲンランプ（１０２）からの光は、コールドミラー（１０５）によってフィルターされてその赤外線含量を減少し、そしてリングミラー（１０６）によって、無限結合対物レンズ（１０８）の暗視野照射ミラーに向かって反射される。この対物レンズ（１０８）は、フレーム（１４０）に取り付けられている。照射は、ほぼかすめ角で粘着性シート（１３０）のキャリヤー上に入射する。粘着性表面からの散乱光は、暗視野対物レンズ（１０８）によってイメージされ、リングミラー（１０６）の透明中央開口部を通過し、そしてビームスプリッター（１１２）によって２つのイメージング経路（１１４および１２２）に分割される。経路（１１４）上の光は、焦点レーザー（１２６）からの光を除去するフィルター（１１５）を通過し、そして次にチューブレンズ（１１４）によって直線状ＣＣＤ検出器アレイ（１１８）上にイメージされる。経路（１２２）上の光は、チューブレンズ（１２０）を通過し、そしてホットミラー（１２１）によって反射され、第２の直線状ＣＣＤ検出器アレイ（１２４）上に反射される。これら検出器（１１８および１２４）は、入るシグナル（１８１および１８２）について分析電子機器（１８０）からのＸ座標タイミング情報によって駆動され、そしてこれら検出器は、かすめ照射散乱強度情報を分析電子機器（１８０）に伝達する。第１のチューブレンズ（１１４）および検出器アレイ（１１８）は、粘着性表面の焦点のほぼ３倍の深さ内にある粘着性シートにある表面にイメージされる。第２のチューブレンズ（１２０）および検出器アレイ（１２４）が利用されるとき、それは、第１のレンズおよび検出器アレイより、この粘着性表面からより遠く、かつこの粘着性表面を支持するバルク材料中により深い、少なくとも１つの焦点深さでイメージされる。第２のチューブレンズおよび検出器アレイが利用されない場合、ビームスプリッター（１１２）は、取り除かれるべきである；この単一のＣＣＤ形態は、非常に低いバルク汚染および散乱をもつ粘着性表面に対する好適な実施形態である。粘着性シート（１３０）のキャリヤーは、ハンドル手段（１３２）に接着される；この組み合わせは、引き続きより詳細に論議される。
【００２９】
小粒子は、より短い波長をより強力に散乱するので、より短い波長エネルギーをもつ光源が好適である。照射の代替の好適な実施形態は、アークランプ、発光ダイオード、およびレーザーを含む。代表的には、非干渉性照射は、検出されるイメージにおいて、干渉性照射より少ないノイズを生成する。０．５と０．９５との間の開口数をもつ対物レンズが好ましく、粒子が検出され得る深さを制限する。液浸系光学は好ましくない。粒子は、浸漬流体にほぼ一致する屈折率であり得るからである。第２の検出器アレイは、粘着性表面を支持するバルク材料に局所的光散乱がほぼ存在せず、そしてこのバルク材料の厚さが焦点距離の少なくとも８倍の深さである場合、省略され得る。これら検出器についての代替の好適な実施形態は、ＣＭＯＳ直線状アレイ、ＣＣＤおよびＣＭＯＳの二次元アレイ、ＴＤＩアレイ、ならびに位置感知光電子増倍管を含む。
【００３０】
ハンドル手段（１３２）は、位置決め手段（１３１）によって受容され、これは、表面検査手段（１００）の視野を通じて、粘着性シート（１３０）のキャリヤーを通過させる。位置決め手段（１３１）を、ここで、集約的に説明する。粘着性シート（１３０）のキャリヤーは、ハンドル手段（１３２）上に取り付けられ、これは、ギア減速機（１３４）、サーボモーター（１３６）、およびエンコーダー（１３８）に取り付けられたスピンドル（１３３）と嵌合する；これらは、粘着性シート（１３０）のキャリヤーを、コントローラー（１７０）の制御下で回転する；これは、対物レンズに対するキャリヤーのθ運動である。ギア減速機（１３４）は、回動プレート（１３５）を取り付けるアングルブラケット（１３６）に取り付ける。このハンドル手段のグリップ（１３２）は、アングルブラケットに取り付けられたスプリングクリップ（１３７）によって保持される。湾曲ヒンジ（１４４）は、回動プレート（１３５）を、エレベータープレート（１４２）に固定されたライザーブロック（１４３）に接続する。このエレベータープレート（１４２）は、直線状ベアリング（１４５）によって、フレーム（１４０）に平行な一方向に動くように拘束される。対物レンズ（１０８）と粘着性表面との間の間隔を変動するＺ運動は、エレベータープレート（１４２）上に取り付けられたボイスコイルマグネット（１５６）、回動プレート（１３５）上に取り付けられたボイスコイル（１５７）、およびコントローラー（１７０）中の駆動回路によって駆動される。この回動プレート（１３５）の機械的位置決めは、この回動プレート（１３５）に取り付けられる、その対応するコアと結合されたエレベータープレート（１４２）に取り付けられたＬＶＤＴセンサー（１５８）によってモニターされる。このエレベータープレート（１４２）に取り付けられたブラケット（１５２）上のモーター（１５０）は、回動プレート（１３５）に取り付けられたリードスクリュー（１５４）を回転する。コントローラー（１７０）は、モーター（１５０）を駆動してエレベータープレート（１４２）のＸ位置決めを制御する。
【００３１】
θ運動を生成するためのさらなる好適な実施形態はまた、空気ベアリング、マイクロステッパー、無ブラシモーター、およびＤＣモーターを含む。縦座標およびＺ運動のためのさらなる好適な実施形態は、撓み、空気ベアリング、直線状ベアリング、スクイーズベアリング、インチウォーム、圧電トランスデューサー、直線状ボイスコイル、およびリードスクリューを含む。θ、Ｘ、Ｙ、およびＺｌａｂをモニターするためのさらなる好適な実施形態は、コンデンサーセンサー、増分光学的センサー、空気ゲージ、渦電流センサー、インダクタンスセンサー、および光学的転置センサーを含む。
【００３２】
コントローラー（１７０）は、電子工学ハードウェア、ファームウェア、およびソフトウェアの組み合わせであり、これは、位置決め手段の種々の程度の自由度の動きを協調し、センサー位置情報を受けて、かつ処理し、そして粘着性表面の走査を制御する外部指令に応答する。このコントローラー（１７０）は、好ましくは、汎用目的マイクロプロセッサーと連絡される１つ以上のリアルタイムマイクロコントローラーである。代替の実施形態では、このコントローラー（１７０）は、汎用目的マイクロプロセッサーの処理能力のスライスされた時間であり得る。コントローラー（１７０）への外部の連絡は、以下の少なくとも１つである：キーボード、ディスプレイ、タッチパネル、赤外線リンク、ＲＦリンク、専用シリアルインターフェース、専用パラレルインターフェース、ローカルエリアネットワーク、および広域エリアネットワーク。
【００３３】
分析電子機器は、好ましくは、アナログプレプロセッシング、ＡＳＩＣ、ＦＰＧＡ、ＣＰＬＤ、ＦＩＦＯ、ＲＡＭ、１つ以上の汎用目的プロセッサー、１つ以上のデジタルシグナルプロセッサー、磁気ディスク、リムーバブルストレージ、および通信能力の組み合わせである。
【００３４】
コントローラー（１７０）は、電子工学ハードウェア、ファームウェア、およびソフトウェアであり、これは、位置決め手段の種々の程度の自由度の動きを協調し、センサー位置情報を受けて、かつ処理し、そして粘着性表面の走査を制御する外部指令に応答する。
【００３５】
粗い光学的焦点検出器は、入射の照射および反射した照射の一部を捕捉するように位置されたフォトダイオード（１９０）を備える。きめの細かい光学的焦点検出器は、レーザー（１２６）、ビームスプリッター（１２７）、および適合可能マウント（１２８）、単軸位置感応検出器（１２９）、ならびにケーブル（１７６）を介するコントローラー（１７０）中の関連したシグナル調整電子機器への接続部を備える。焦点システムは、続いてより詳細に考察される。
【００３６】
表面検査手段（１００）のあまり好ましくない実施形態は、走査電子顕微鏡、原子力顕微鏡、超音波顕微鏡のような、非光学的測定技術を含む。いくつかのアプリケーションにおいて、感度が、粘着性表面へ移動された粒子上に優先的に、飽和大気からの蒸気を凝結することによって、増強される。
【００３７】
図２および３は、粘着性シート（１３０）およびハンドル手段（１３２）のキャリヤーをより詳細に示す。最も好適な実施形態において、この粘着性シートの表面は、ほぼ円柱形である；これは、図２ａに示されるように非平面試験表面（２０２）の検査を可能にする。図２ｂは、スラブ（２０６）上に置かれてるアイドル位置中の粘着性シート（１３０）の接着したキャリヤーを有するハンドル手段（１３２）を示す。ハンドル手段（１３２）中のピン（２０８）は、安定性を提供する。カラー（２１０）は、粘着性シート（１３０）のキャリヤーがハンドル手段（１３２）に対して自由に回転することを可能にするベアリングへのグリップと連結し、続いてより詳細に記載される。代替的な好ましい実施形態において、ロボットまたは自動化デバイスが、ハンドル手段を操作して、粘着性表面を試験表面に適用する。
【００３８】
図３は、試験表面を故意に汚染し、続いてハンドル手段（１３２）および粘着性シート（１３０）を使用して汚染を除去することにより得られたデータを示す。ネイティブな酸化物を有するモニターシリコーンウェーハーは、最初に標準設計の暗視野散乱粒子検査ツールによって検査されてコントロールデータ（図３におけるヒストグラムの３つの列の中央）を作製する。粒子サイズが、画素からの光散乱強度から推測され、各々がウェーハー表面上のおよそ０．０１平方ミリメートルに相当する。０．３ミクロンより小さいコントロール粒子密度の漸進的な増加は、単一粒子以外の光源からの光散乱に起因している可能性がある。直径が０．３ミクロンおよび２．０ミクロンのポリスチレンラテックススフェア−の水懸濁液を、ウェーハー上で霧状にし、０．３／２μｍ  ＰＳＬヒストグラムデータを作製する。次いで、親水性ポリウレタン粘着性表面を有するローラーを、ウェーハーの表面上に１回転がし、「回転後」のデータを作製する。試験表面の高い表面エネルギーが、一般的に、試験表面を粒子に対して接着性にさせるが、ローラーは、両方のサイズの適用される粒子の９０％より多くを除去することができ、そしてコントロール表面上に存在している汚染のいくらかを除去することができる。
【００３９】
粘着性シート１３０のキャリヤーの詳細が、図４ａの左側の図およびそれに関連する断面図Ａに示される。キャリヤーの硬いコア（４０６）は、閉じた端を有する中空のプラスチックの円柱である。Ｄｕｐｏｎｔ  ４９４９黒色高度結合アクリル製発泡体テープ（４０４）のような正角層は、硬いコア（４０６）の周囲に適用し、光学的吸収バッキング、粘着材料に対する接着プロモーター、および表面の正角性を提供する。粘着性表面下の正角支持層は、試験表面が付いた粘着性表面の湿潤を改善する。正角層はまた、複雑な表面湾曲の回転を可能にする；これは、一般に粘着性表面を、２つの曲率半径を有する試験表面に密接に接着させることを可能にする。これはまた、パイプの内部がハンドル手段（１３２）の軸の動きによって検査されることを可能にする。親水性ポリウレタン粘着性材料を含む溶解力のある溶液は、浸けられてまたはローラーによって伸び広げられて、硬いコア（４０６）および正角層（４０４）の組み合わせ上をコーティングする；この溶液は、乾燥して粘着性表面（４０１）を有する粘着性材料（４０２）のフィルムを形成する。
【００４０】
ハンドル手段の詳細（１３２）が、図４ｂの左図およびその関連する断面図Ｂに示される。ボビン（４１６）は、密封されたベアリング（４１８）およびＣ−リング（４２０）を有するカラー（２１０）に結合されている。グリップ（４０８）は、ピン（２０８）を通るネジを使用して、カラー（２１０）に装置する。位置決め手段（１３１）からのスピンドル（１３３）は、ボビン（４１６）中の閉められた許容穴と嵌合する。エラストマーのｏリング（４１４）は、牽引力を提供し、その結果ボビン（４１６）は、スピンドル（１３３）上に手動で容易に挿入され得、除去され得るが、ボビンは位置決め手段（１３１）がスピンドルに対してトルクを加える場合、スピンドル上を滑らない。
【００４１】
プラスチックコア（４０６）が、ボビン（４１６）上を滑る；プラスチックコアの開口部は、ボビン（４２４）上の唇部と嵌合し、捕らえられたｏリング（４１０）は、ボビン（４１６）中の８つの捕らえられた金属ボール（４１０）を進めて、プラスチックコア（４０６）の内部表面上で、外側へ中心への力を加える。ハンドル手段が、可能な限り０に近い汚染を生成する；プラスチックコア（３０６）の閉じた端が、受容する処理および回転する処理によって、生成され得る粒子を含むよう補助する。粘着性シートのキャリヤーが比較的安価な消耗品であるために、ハンドル手段は、内部の直径および楕円率において実質的に耐用能を有する硬いキャリヤーコア（４０６）と正確に嵌合させなければならない。粘着性シート（１３０）のキャリヤーの代替的な好ましい実施形態が、続いて記載される。プラスチックコア（４０６）の内部のおおよそ円柱形の表面は、ハンドル手段と係合するためのキャリヤーに対する最も好ましい軸特徴である。代替的な好ましい実施形態としては、先細にされた穴、六角形の穴、正方の穴、ネジ山のある穴、心棒、先細にされたピン、六角形のロッド、正方のロッド、およびネジ山のあるロッドが挙げられる。ボビン（４１６）の内部円柱形表面が、位置決め手段（１３１）に係合するためのハンドル手段についての最も好ましい方法である。ハンドル手段と位置決め手段を機械的に嵌合させるための代替的な好ましい実施形態としては、先細にされたピンおよび穴、かみ合わせマウント、ネジとナット、キー溝を有するシャフトおよび戻り止めを有するシャフトが挙げられる。
【００４２】
図５は、最も好ましい実施形態のデータフローを示す。コントローラー（１７０）によって指向された位置決定手段（１３１）によって、粘着シート（１３０）のキャリヤーを、表面検査手段（１００）の視野中に通してスキャンした。２つのＣＣＤアレイ（１１８および１２４）が、光散乱強度（Ｉ）および位置情報（Ｘ）を含むシグナル（１８１および１８２）を生成し、これらが分析電子機器（１８０）に到達する。粘着シート（１３０）のキャリヤーの現在位置についてのさらなる情報（θ、旋光分散、Ｚｏｐｔ、Ｚｌａｂ）が、同時に、コントローラー（１７０）から、通信手段（１７１）を通って、分析電子機器（１８０）へと伝達される。強度および座標情報は、第１計算手段（５０８）において結合され、粘着表面（１３０）のキャリヤーの座標上に粒子座標（Ｉ、吸光度、旋光分散、Ｚ）を生成する。第１計算手段の詳細については、後に記載する。粘着シート（１３０）のキャリヤーが検査される種々の例について、図５において、第１計算手段の出力が、異なるように標識されている。粒子が、粘着シートに接着し、それを試験表面から除去する前に、スキャンの結果から得られた粒子データが、非曝露粒子座標（５１０）である。粒子が、粘着シートに接着し、それを試験表面から除去した後で、スキャンの結果から得られる粒子データが、第１曝露粒子座標（５１１）である。粒子が、粘着シートに接着し、その後に試験表面から除去した後の粒子データが、それぞれ（５１２）、（５１３）および（５１４）である；これらの後の試験表面は、元来の試験表面の繰り返しの測定であり得るが、よりあり得るのは、代替的試験表面の測定である。原則として、任意の数の清浄な試験表面が、粘着表面に接着した単一のキャリヤーにより検査され得るが、現実には、繰り返し使用する回数は、粘着表面上での汚染の蓄積によって、主に制限される。最も単純な好ましい実施形態において、前のスキャン（５１０）は存在しない；粒子座標（５１１）は、試験表面に塗布され、そして除去される粘着表面をスキャンする間に生成され、試験表面から移転された粒子を表すと推測される；これは、試験表面から移転された粒子の数の上限を表す。最も好ましい実施形態において、前のスキャン（５１０）は、第１記憶手段（５２０）に記憶される。第２計算手段（５３０）は、試験表面（５７０）から移転された粒子を、記憶されている以前のスキャン（５５０）からの対応する粒子座標を有さない（５１１）由来の粒子座標として、同定する。粘着表面を再利用するために、第２記憶手段（５２１）がスキャンデータ（５１１）を記憶し、第３計算手段（５４１）が、第１記憶手段および第２記憶手段からの粒子データ、（５５０）と（５５１）とを結合して、（５６１）を形成し、そして、第２計算手段（５３１）の例が、第２試験表面（５７１）から移転した粒子を、（５６１）中に対応する粒子座標を有さない（５１２）の粒子座標として、同定する。２つのさらなる試験表面が、第３記憶手段（５２２）および第４記憶手段（５２３）、第３計算手段の例（５４２）および（５４３）、ならびに第２計算手段の例（５３２）および（５３３）を使用して、測定され得、出力（５７２）および（５７３）���生成する。類似の様式において、さらなる繰り返しが、計算される。粒子データは、移動可能な記憶媒体（５０６）（例えば、書き込み可能なＣＤ  ＲＯＭまたはＤＶＤ）中に記憶され、そのため、粒子データは、後に別の分析装置に移転され得る。
【００４３】
最も好ましい実施形態において、ハンドル中のキャリヤー移動測定手段は、試験表面または複数の試験表面上をキャリヤーが転がる際に、キャリヤーの回転の足跡を追い続ける。このキャリヤー移動測定手段は、後に記載される。キャリヤー移動測定手段からのデータは、第４計算手段（５８０）に連絡され（５０６）、試験表面（５７０）から移転された粒子が、試験表面（５９０）からの除去可能な粒子の濃度に翻訳される。第４計算手段は、試験表面から検出された粒子の数を、粘着表面の面積およびキャリヤー移動測定手段で検出された回転数で割る。類似の様式において、除去可能な粒子（５９１、５９２、および５９３）の濃度が、後の試験表面（５７１、５７２、および５７３）のスキャンおよび対応する第４計算手段の例（５８１、５８２、および５８３）から、計算される。
【００４４】
最も好ましい実施形態において、第１計算手段は、回旋フィルターを利用して、すぐ周囲と比較されるピクセルのコントラストを改良する。修正が、固定パターンのノイズに適用され、検出器アレイの変化が得られる。小さなピクセルのサイズにより、表面粗度と比較される粒子のコントラストおよびバルクの副表面散乱が改良され、そのために、高スピードの検出器アレイおよびパイプライン分析ハードウェアが好ましい。計算手段の出力は、表示、印刷、または発音機によって、オペレーターに伝達され得る。計算手段の出力は、当業者に公知の種々のインターフェイスを通じて、ＷＡＮまたはＬＡＮに連絡され得る。
【００４５】
図６は、どのようにして、粘着表面（１３０）のキャリヤーが、表面検査手段（１００）およびハンドル手段（１３２）と共に使用されるために、パッケージ化され得るのかを示す。いくつかのキャリヤー（１３０）が、底部（６０８）とヒンジ付き頂部（６０４）によって形成される箱に収容される成型シート（６０６）に形成された、個々の区画中に保存される。キャリヤーは、ハンドル手段（１３２）が、個々の区画にいる間、任意のキャリヤーと係合し、それを除去することを可能とするような角度にされる。使用された後、キャリヤーは、区画中で交換され得、そのために、区画は、キャリヤーにとって達成可能な（ａｃｈｉｖａｌ）保存場所となる。書き込み可能なＣＤ（６１０）は、成型シートに形成された支柱の上に存在する；このＣＤは、箱の中のキャリヤーのための移動可能な記憶媒体として、作用する。
【００４６】
図７は、粘着表面に近位の整列マークの６つの配置を示す。最も好ましい実施形態において、整列マークは、粒子の光散乱特徴のいくつかを模倣する。この配置において、整列マーク座標検出手段は、表面検査手段ならびに整列マークの特徴（例えば、その配向、位置、シグナル強度、および隣接特性）に基づく整列マークを区別しデコードするための、さらなるハードウェアまたはソフトウェアである。微粒子（例えば、金属スフェアーまたはラテックススフェアー（７０４））は、粘着表面の頂部上に配置され得るか、または、それらは、粘着材料（４０２）のバルク中にいくらか押し付けられ得る。カーボンブラックが電子写真的に付着させられ得るか、あるいはインクが噴射されるか、またはシルクスクリーン印刷されるかして、整列マーク（７０６）を形成し得る。しばしば、粘着バルク素材（４０２）が、支持基板上（７１４）に、ドクターされるか、浸漬されるか、または噴霧コーティングされる；この場合、粘着材料の塗布に先立って、整列マークが、（７１４）の隠れ表面上に、前付着され得る。整列マークは、粘着表面上に、粘着材料（７１０）のバルクにおいて、または粘着材料の背部表面上に、自然発生の散乱特性を有し得る。粘着材料の表面は、スクライブラインまたはスタイラスマーク（７２０）を使用して、ひずまされ得る。最も好ましい実施形態は、局在化エネルギー源（例えば、エキシマーレーザーまたは二酸化炭素レーザー）を使用して、粘着表面に、小さなポケット（７２２）を清浄に切除することである。ＵＶ光源は、表面（７２４）に埋め込まれた局在化体積の架橋を変化させ得、これは、光を散乱し得る屈折率変化を引き起こす。それよりは好ましくない実施形態において、整列マークは、さらなる検出手段（例えば、磁化パターン、鎖止め穴、および配向格子）が必要な場合に、利用され得る。
【００４７】
粘着表面の繰り返しの検査を必要とする実施形態の内の任意のものにおいて、整列マークは、座標を並進し、それによって、ハンドル手段が、ランダムな配向において、再度設置され得るようにするために、使用され得る。整列マークの形状およびパターンは、既知であるので、各データスキャンを適切に翻訳するために、整列マークの位置が、第１計算手段（５０８）への入力として、使用され得る。図８は、整列マーク（８００）を有する粘着表面のキャリヤーにとって、好ましい配置を示す。最も好ましい実施形態は、バーコードに類似するパターンの整列マークの列（８０４）を利用する。コード中のいくつかのマークの位置は、表面の配向を示す。他の型の情報（例えば、通し番号、使用期限、および粘着材料の組成）、もまた、このコードに含まれ得る。このマークは、１次元または２次元のアレイであり得る。このマークは、幅、高さ、深さ、および間隔において、変化を有し得る。
【００４８】
図８中の粘着性表面のキャリヤーは、さらなる特徴を有する。非粘着性材料のストリップ（８０２）は、粘着性表面の長さにわたり、その結果、非粘着性表面（８０２）のみが試験表面と接触する、回転連結の小さい範囲の回転角が存在する。回転連結のこれらの方向について、粘着性表面のキャリヤーは、試験表面から容易に持ち上げられ得る。これは、粘着性シート上の剪断力を制限して、試験表面からの粘着性表面の除去の間の粘着性材料の粘着の失敗を排除するために有用である。これはまた、試験表面から粘着性表面のキャリヤーを除去する場合、ハンドル手段および試験表面に適用される力を低減する際にも有用である。
【００４９】
図９は、粘着性表面のキャリヤー（１３０）の周りを取り巻く保護フィルム（９０２）を示す。最も好ましい実施形態において、この保護フィルムの外部表面もまた粘着性である；このことは、キャリヤーが使用された後にフィルムを保存および交換する際に助けとなる。カラーコードタグ（８０４）は、この保護フィルムの除去を開始する際に助けとなる。代替の好ましい実施形態において、このフィルムは、粘着性表面のキャリヤー上に浸漬コーティングまたはローラーコーティングされ、除去可能な正角コーティングとして乾燥される。
【００５０】
図１０および１１は、好ましい実施形態の焦点システムをより詳細に記載する。図１０は、粘着性表面のキャリヤー（１３０）、照射器、対物レンズおよび焦点センサの概観を示す。照射器および画像化オプティクスの機能は、以前に記載されている。断面図Ａ−ＡおよびＢ−Ｂが、図１０に示される；これらの断面図は、それぞれ、図１１ａおよび図１１ｂに示される。レーザー源（１２６）（例えば、６５０ｎｍの固体状態レーザー）からの入射焦点ビーム（１１０２）は、チューブレンズ（１２０）へのビームスプリッター（１２７）、環ミラーの中心透明開口部（１０６）および対物レンズ（１０８）の射出瞳によって、部分的に反射される。入射焦点ビーム（１１０２）は、軸から外れて対物レンズ（１０８）に入り、その結果、この入射焦点ビームは、入射の非ゼロ角度で、粘着性表面（４０１）に照射する。反射された焦点ビーム（１１０４）は、対物レンズ（１０８）を出て、環ミラー（１０６）の透明開口部を通過し、そしてビームスプリッター（１２７）を介して、チューブレンズ（１２０）によって位置感知ダイオード（１２９）上に画像化される。視野の粘着性表面と対物レンズとの間のＺｏｐｔ距離を変動させることによって、反射された焦点ビーム（１１０４）が位置感知ダイオード（１２９）を照射する位置のシフトがもたらされる；このことは、コントローラ（１７０）によって対物レンズの焦点平面に関する粘着性表面（４０１）の現在の位置として解釈される、位置感知ダイオードからの２つの出力シグナルの比率を変化させる。反射された焦点ビーム（１１０４）が位置感知ダイオードにぶつからないいくつかの状況が存在する；これらとしては、失われたか不正確に取り付けられた粘着性シートのキャリヤー（１３０）、Ｚｏｐｔにおける大きな見かけのシフトを引き起こす視野中の大きい粒子、および継ぎ目または配置の印が挙げられる。これらの状況において、さらなる光学センサ（１９０）は、焦点サーボループの信頼性のある性能のために有用である。粘着性シートの表面は円筒状であるので、ハロゲンランプ（１０２）からの入射照射のいくらかは、対物レンズ（１０８）と粘着性シートのキャリヤー（１３０）との間に出現し；分離が大きくなるほど、より多くの光が検出器（１９０）にぶつかる。（１９０）からのシグナルは、粗表面フィードバックシグナルとして作用する。
【００５１】
代替的な好ましい実施形態において、焦点シグナルは、光軸を通過する焦点平面における光学ビームの強度を感知することによって、提供される。このビームは、粘着性表面が焦点を通過して対物レンズに向かって移動する場合に、偏向および減弱される。
【００５２】
図１２は、試験表面を横切って回転する場合の粘着性表面のキャリヤー（１３０）の回転を感知するハンドル手段の好ましい実施形態を示す。穴の２つの同軸環（１２０４）は、ボビン（４１６）の外側表面へと食刻され、パッド（１２０６）の規則的なアレイを方形にする。容量性感知回路素子を有する印刷された回路ボード（１２０８）は、パッド（１２０６）の近位に、穴の開いた外側ハンドル（１２０２）中に配置され、ボビンの回転のさらなる位置および方向が感知されるのを可能にする。穴の開いた外側ハンドル（１２０２）の半分は、明確にするために省かれている。ＲＦアンテナ（１２１２）は、ハンドルが位置づけ手段中に挿入された時点を検出し、そしてボビンの最近の回転履歴を通信する。この情報は、試験表面上の粒子空中密度として測定された粒子計数を解釈するために、第四の計算手段によって使用される。電池（１２１０）は、検出回路、ＲＦジェネレータおよびメモリに電力供給する。ハンドル手段の全体的形状は、両手きき用になるように、一般に鏡面対称である。あまり好ましくない実施形態において、回転検知は、以下の１つによって実施される：ホール効果センサ、増分光学エンコーダ、モータージェネレータおよびギアトレイン。あまり好ましくない実施形態において、回転データは、以下の１つを使用して、ハンドル手段から伝達される：嵌合電気接触、容量性接触および光学カップリング。この回転データは、コントローラ（１７０）またはコントローラと連絡した外部プロセッサによって、受信され得る。
【００５３】
ハンドル手段によって適用され、試験表面の方へ粘着表面を押す力は、粒子除去速度に対していくらかの影響を有する。より一様な結果を得るために、代替的に好ましい実施形態は、ハンドル手段にコンプライアンスを導入し、適用された力を調節する。さらなる代替的に好ましい実施形態において、粘着表面が、試験表面に接着され、そこから除去される間、力ゲージは、適用された力を測定し；これらの測定された値は、次いで、ローラー回転がちょうど記載されたのと同じ様式で、コントローラーに報告される。代替的に好ましい実施形態において、ハンドル手段は、試験表面に関する補助的な情報を記録するための手段（例えば、バーコードリーダーまたはボイスディジタイザー（ｖｏｉｃｅ  ｄｉｇｉｔｉｚｅｒ））を含む。
【００５４】
（実施形態２）
図１３は、フライングレーザースポット（ｆｌｙｉｎｇ  ｌａｓｅｒ  ｓｐｏｔ）を使用するスキャナ手段（１００）の実施形態を示す。固体レーザー（１３０２）は、ミラー（１３０６）を振動するガルボコイル（ｇａｌｖｏ  ｃｏｉｌ）（１３０８）によって、焦点ミラー（１３１０）を越えて進むビーム（１３０４）を生成する。ミラーから戻るビームは、粘着表面を越えてかすめて通る間、焦点に来る；移動ミラーの位置は、粘着表面上のレーザーの位置を決定する。光電子増倍管（１３１２）は、粘着表面の表面主要点から散乱された光を回収する。
【００５５】
（実施形態３）
図１４ａ〜１４ｄは、高い曲率の表面を検査するために構成された代替的な好ましい実施形態（例えば、半導体前方開放統一ポッド（すなわち、ＦＯＵＰ）（１４０２）における溝支持ウェーハー）を示す。図１４ｄは、斜視図である。図１４ｂおよびｃは、図１４ａの平面図からの断面図である。粘着表面（１４１０）を有する材料の可撓性チューブ状シートは、溝を付けられた材料（１４０２）の表面と粘着シート（１３０）のキャリヤーとの間の転写表面または転写ローラーとして作用する。可撓性チューブ状シート（１４１０）は、カラー（２１０）に接着されたガイドプレート（１４１４）によって隔離される２つのベアリングローラー（１４１２および１４１３）の周りに伸ばされる。ハンドル手段が、試験表面上のより低いローラー（１４１３）を回転するように操作され、可撓性チューブの粘着表面は、試験表面に累進的に接着し、試験表面から解放し、試験表面からガイドプレートに沿って粘着表面（１３０）のキャリヤーまで粒子を運ぶ。粘着表面（１３０）のキャリヤーは、一般的に、チューブ状シート（１４１０）が粒子に接着するより強靭に粒子に接着するように選択され、その結果、試験表面からチューブ状シートまで転写された粒子は、次いで、粘着シート（１３０）のキャリヤーに転写される。図１４中の図面は、２００ｍｍウエハーについてＦＯＵＰにおいて見出される溝に対して、および直径および長さが２５ｍｍである粘着シートのキャリヤーに対して、スケールされる。
【００５６】
（実施形態４）
図１５は、インサイチュ検査およびプロセスツーリング中のクリーニングのために適合される代替的に好ましい実施形態を示す。粘着表面（４０１）を有する可撓性シートは、１つの円柱状コア（１５２０）から分配され、別の円柱状コア（１５２１）によって巻き取られる。２つのサーボモーター（１５２２）は、可撓性シートの張力および進行を制御する。正角ローラー（４０４）は、電動化されたピボット（１５１２）上にフレーム（１５１０）によって支持される。支持体（１５０４）上で検査される試験表面（１５０２）は、製造されたプロセス流の一部としてローラーの下を通過する。粘着シートに沿う整列印（８０４）および低粘着性部分（８０２）のシーケンスは、正角ローラー（４０４）によって回転される試験表面のシーケンスを可能にするように存在し得、その後、２つの円柱状コアが、除去され、表面検査手段にマウントされ、粘着シートが検査される。
【００５７】
図１６は、ＵＶ解放接着フィルム（シリコーンウェーハーの後方摩擦のためのＮｉｔｔｏ  Ｄｅｎｋｏによって製造されたフィルム、または米国特許第５，９０２，６７８号に記載されるフィルム）を使用するために適合される、図１５の構成を示す。この場合において、適用ローラー（１６１０）および除去ローラー（１６１２）が存在する。２つのローラー（１６１０および１６１２）の間の領域は、反射器（１６０２）を有するＵＶランプ（１６０６）によって照射され得る。フィルムが最初に試験表面（１５０２）に適用される場合、このフィルムは、試験表面および試験表面上の粒子の両方に高度に接着および結合する。ローラー（１６０４）の間の領域におけるＵＶ照射の後、フィルムは、試験表面から容易に除去される。ＵＶ照射より好ましくない接着解放手段の実施形態は、液体溶媒、水蒸気および温度変化への曝露を包含する。
【００５８】
接着改変剤は、通常、全ての実施形態に対して適用され得る。試験表面またはコロナ放電を有する粘着表面（Ｓｏｆｔａｌ  ３ＤＴ  ＬＬＣ製の接着増強生成物によって生成される）を前処理することは、粒子と粘着表面との間の接着を増大する。試験表面に接着される場合、粘着表面に蒸気を適用することは、粘着表面と試験表面との間の解放を改善し得る。
【００５９】
図１７は、全ての実施形態に対する好ましい計算手段を示す。各矩形またはピクセル（１７０２）は、粘着シート上の粒子座標の可能な位置を示す。暗くされた矩形またはピクセル（１７０４）は、単一の粒子と結合する粒子座標を示す。粒子が大きい場合、粒子がピクセル間の境界に近い場合、粒子が焦点の外にある場合、強く示されたピクセルが、その検出器を飽和させる場合、または粒子が連続したスキャンの間の重複領域中に存在する場合、いくつかのピクセルは、単一の粒子によって影響され得る。異なる粒子が存在する場合、各ピクセル（１７０４）を報告するのではなく、隣接するピクセルまたはほぼ隣接するピクセルを合わせることが好ましい。これは、第１の計算手段によってなされ得るか、または、最も好ましい実施形態において、第２の計算手段の出力の一部であり得る。
【００６０】
図１８は、粘着表面（４０１）での第１の検出アレイ（１１８）の画像（１８０２）および粘着材料（４０２）のバルクにおける粘着表面（４０１）より下の第２の検出アレイ（１２４）の画像（１８０４）を示す。これは、少なくとも２つの検出器アレイを有する光学的検出器を使用する全ての好ましい実施形態に適用可能である。第２の検出器アレイの主な目的は、粘着表面からの深度が増加するにつれてより強力になる光散乱事象を同定することであり；これらの光散乱事象は、試験表面から転写される粒子由来ではなく、無視されると考えられる。粘着表面（４０１）に垂直な２つのアレイの画像の分離は、少なくとも、検出波長に対する焦点の深度、対物レンズの開口数、および粘着材料（４０２）のバルクの屈折率であるべきである。粘着材料（４０２）のバルクと支持層（１８１４）との間に埋もれた界面が存在する場合、第２の検出アレイの画像（１８０４）は、この界面上であるべきである。類似する深さの情報を獲得するためのより好ましさが低い実施形態としては、共焦点顕微鏡法、ＮｉｐｋｏｗホイールおよびＬｉｎｎｉｃｋインターフェロメトリーが挙げられる。
【００６１】
本発明が、好ましい実施形態を参照して記載されるが、当業者は、変更が本発明の精神および範囲から逸脱することなく形態および詳細を作製し得ることを理解する。例えば、最も好ましい実施形態の種々の特徴が、使用され、そして代替的に好ましい実施形態と交換され、逆もまた同じである。これらの変更および他の変更は、当業者に明らかである。
【図面の簡単な説明】
【００６２】
【図１】図１は、装置の最も好適な実施形態の斜視図である。
【図２ａ】図２ａは、粘着性表面のキャリヤーを、平坦でない試験表面に付与するハンドル手段の斜視図である。
【図２ｂ】図２ｂは、粘着性表面のキャリヤーに取り付けられたハンドル手段の斜視図である。
【図３】図３は、粘着性ローラーを用いてモニターシリコーンウェーハーからポリスチレンラテックススフェアーの除去を示すヒストグラムである。
【図４ａ】図４ａは、粘着性表面のキャリヤーの平面図および断面図である。
【図４ｂ】図４ｂは、ハンドル手段の平面図および断面図である。
【図５】図５は、計算手段間のデータ移動経路を示すデータフロー図である。
【図６】図６は、いくつかのキャリヤーおよび除去可能なデータ記憶要素を運搬するためのボックスの斜視図である。
【図７】図７は、粘着性表面に近接する整列マークのいくつかの型を示す。
【図８】図８は、整列マークのパターンおよび下部粘着性ストリップをもつ粘着性表面のキャリヤーの斜視図を示す。
【図９】図９は、保護カバーをもつ粘着表面キャリヤーの斜視図を示す。
【図１０】図１０は、好適な実施形態の照射および焦点整合オプティクスの斜視図を示す。
【図１１】図１１のａおよびｂは、図１０の照射および焦点整合オプティクスの断面図を示す。
【図１２】図１２は、回転運動検出およびＲＦ伝達をもつハンドル手段の一部切り欠き斜視図を示す。
【図１３】図１３は、飛行スポットスキャナを利用する実施形態の斜視図を示す。
【図１４ａ】図１４ａは、溝検査のための中間粘着性表面を用いる実施形態の平面図である。
【図１４ｂ】図１４ｂは、図１４ａを参照する断面図である。
【図１４ｃ】図１４ｃは、図１４ａを参照する断面図である。
【図１４ｄ】図１４ｄは、溝検査のための中間粘着性表面を用いる実施形態の斜視図である。
【図１５】図１５は、インサイチュ（ｉｎ−ｓｉｔｕ）清掃および検査のための可撓性粘着性シートを用いる実施形態の斜視図である。
【図１６】図１６は、インサイチュ（ｉｎ−ｓｉｔｕ）清掃および検査のための可撓性粘着性シートを用いる実施形態の斜視図である。
【図１７】図１７は、粘着性表面の座標系における画素を示す。
【図１８】図１８は、２つの検出器アレイにともなうボキセルを、それらが粘着性表面近傍でイメージされるときで示す。
【図１】
2005521886.tif 000002
【図２ａ】
2005521886.tif 000003
【図２ｂ】
2005521886.tif 000004
【図３】
2005521886.tif 000005
【図４ａ】
2005521886.tif 000006
【図４ｂ】
2005521886.tif 000007
【図５】
2005521886.tif 000008
【図６】
2005521886.tif 000009
【図７】
2005521886.tif 000010
【図８】
2005521886.tif 000011
【図９】
2005521886.tif 000012
【図１０】
2005521886.tif 000013
【図１１】
2005521886.tif 000014
【図１２】
2005521886.tif 000015
【図１３】
2005521886.tif 000016
【図１４ａ】
2005521886.tif 000017
【図１４ｂ】
2005521886.tif 000018
【図１４ｃ】
2005521886.tif 000019
【図１４ｄ】
2005521886.tif 000020
【図１５】
2005521886.tif 000021
【図１６】
2005521886.tif 000022
【図１７】
2005521886.tif 000023
【図１８】
2005521886.tif 000024
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
試験表面から除去可能な粒子を得、該粒子を凸面表面上の粒子の座標を検出するスキャナ手段に輸送するためのサンプラーであって、該サンプラーが、回転連結を有するハンドル手段を用いるオペレーターによって操作され、該スキャナ手段がハンドル手段を機械的に受けることが可能であり、そして該スキャナ手段が、整列マーク座標に対して粒子の座標を移動させることができ、該サンプラーが、以下：
粘着性の凸面表面を有するキャリヤーであって、該キャリヤーは、ハンドル手段における該回転連結と機械的に係合する軸特徴を有するほぼ円柱形であり、該粘着性凸面表面は、接触および引き続く分離の際に除去可能な粒子を試験表面から該粘着性の凸面表面上に移動させる間に、該試験表面と該粘着性の凸面表面との間のきれいな分離を与えるよう適合されており、キャリヤー；および
粘着性の凸面表面に近接する整列マークであって、該整列マークが、該粘着性凸面表面上の粒子の特徴を再現するように構成され、これにより該オペレーターが、軸特徴に係合されるハンドル手段を操作し、該試験表面と交差する粘着性の凸面表面を回転させることによって、該試験表面を該粘着性の凸面表面の一部に接着し、そして該試験表面から該粘着性の凸面表面の一部を除去し、該オペレーターが、該ハンドル手段および該係合されたキャリヤーを該スキャナ手段に輸送し、該スキャナ手段が、該キャリヤーと係合された該ハンドル手段を機械的に受けることによって該粘着性の凸面表面を有するキャリヤーを走査し、該スキャナ手段が、該粘着性表面上の粒子の座標を検出し、該スキャナ手段が、該粘着性の表面に近接する該整列マークの整列マーク座標を検出し、そして該スキャナ手段が、整列マーク座標に対する該粒子の座標を参照する、整列マーク
を備える、サンプラー。
【請求項２】
請求項１に記載の装置であって、前記凸面表面の前記粘着性の部分が、以下の組成物：親水性ポリウレタン、アクリル製感圧接着剤、シリコーン感圧接着剤およびゴム感圧接着剤の少なくとも１つを備える、装置。
【請求項３】
請求項１に記載の装置であって、前記凸面表面の前記粘着性部分が、該凸面表面の該粘着性部分の表面抵抗率を１平方センチメートル当たり１０１２Ω以下に減少させる静的消失手段をさらに備える、装置。
【請求項４】
請求項１に記載の装置であって、前記スキャナ手段が、光学的な照射を利用し、前記凸面表面の粘着性部分が、該粘着性凸面表面を通って送られる光学的照射を実質的に吸収する光学的吸収材料をさらに備える、装置。
【請求項５】
請求項１に記載の装置であって、該装置が、前記凸面表面の粘着性部分を、保存および操作の間に不純物から単離する取り外し可能な保護フィルムをさらに備え、これにより該取り外し可能な保護フィルムが、該凸面表面の粘着性部分から取り外され、その後前記オペレーターが、前記試験表面と交差する該粘着性の凸面表面の該部分を回転させる、装置。
【請求項６】
請求項１に記載の装置であって、該装置が、前記キャリヤーと前記凸面表面の粘着性部分との間に挿入される、コンプライアンスを持ち弾力のある重合体の発泡体円柱形シェルをさらに備える、装置。
【請求項７】
請求項１に記載の装置であって、該装置が、前記粘着性の表面に近接する一連の整列マークをさらに備え、該一連の整列マークの相対的空間位置が、コードされたデータを形成する、装置。
【請求項８】
除去可能な粒子を試験表面から得、該粒子を凸面表面上の粒子の座標を検出するスキャナ手段に輸送するためのサンプラーであって、該サンプラーが、回転連結を有するハンドル手段を用いるオペレーターによって操作され、そして該スキャナ手段がハンドル手段を機械的に受けることが可能であり、該サンプラーが、以下：
凸面表面を有するキャリヤーであって、該キャリヤーは、該ハンドル手段における該回転連結と機械的に係合することが可能な軸および軸特徴を有するほぼ円柱形である、キャリヤー；
軸長さを有する該凸表面の粘着性部分であって、該凸面表面の粘着性部分が、最初に除去可能な粒子を接触および引き続く分離の際に、該試験表面から該凸面表面の該接着性部分に移動させる間に、該試験表面と該凸面表面の該粘着性部分との間のきれいな分離を与えるよう適合されており、これにより、該オペレーターが最初に除去可能な粒子を該軸特徴に係合した該ハンドル手段を操作し、該試験表面と交差する該粘着性凸面表面の該部分を回転させることによって該試験表面から該凸面表面の該粘着性部分に移動させる、粘着性部分；ならびに
該凸面表面の該粘着性部分より小さい面積を有する該凸面表面の低粘着性部分であって、該凸面表面の該低粘着性部分が、該試験表面にほとんど接着しないように適合され、該凸面表面の該低粘着性部分が、該凸面表面の該粘着性部分の軸長さに広がり、これにより該オペレーターが、該凸面表面の低粘着性表面のみが該試験表面に接触する向きへ該凸面表面を最初に回転させ、続いて該キャリヤーを該試験表面から遠くへ移動させることにより、該凸面表面が、該試験表面から取り外され、続いて該オペレーターが、該キャリヤーに係合された該ハンドル手段を該スキャナ手段に輸送し、該スキャナ手段が該キャリヤーと係合した該ハンドル手段を機械的に受けることによって該粘着性表面を有する該キャリヤーを走査し、該スキャナ手段が該粘着性表面上の粒子の座標を検出する、低粘着性部分
を備える、サンプラー。
【請求項９】
請求項８に記載の装置であって、前記スキャナ手段が、整列マーク座標に対して粒子の座標を移動させることが可能であり、該装置が、以下：
前記凸面表面に近接する整列マークであって、該整列マークが、該凸面表面上の粒子の特徴を再現するように構成され、これにより該スキャナ手段が、該凸面表面に近接する該整列マークの整列マーク座標を検出し、そして該スキャナ手段が、該整列マーク座標に対する該粒子の座標を参照する、整列マーク、をさらに備える、装置。
【請求項１０】
除去可能な粒子を試験表面から得、該粒子を外部表面を有する可撓性のシート上の粒子の座標を検出するスキャナ手段に輸送するためのサンプラーであって、該サンプラーがマニピュレーター手段によって該試験表面に適用され、該スキャナ手段が整列マーク座標に対して粒子の座標を移動することが可能であり、該サンプラーが、以下：
凸面表面、軸および軸特徴を有する円柱形コアであって、該軸特徴は、該円柱形コアが該マニピュレーター手段と機械的に係合することを可能にし、該軸特徴は、円柱形コアが該スキャナ手段と機械的に係合することを可能にする、円柱形コア；
内部表面および反対側の外部表面を有する可撓性のシートであって、該内部表面の一部が該円柱形コアの該凸面表面の一部と接着しており、該可撓性のシートが該円柱形コアの該軸と並行に軸長さを有しており、該外部表面が粘着性部分および低粘着性部分を備え、該外部表面の該粘着性部分が接触および引き続く分離の際に、除去可能な粒子を該試験表面から該外部表面の該粘着性部分へ移動させる間に、該試験表面と該外部表面の該粘着性表面との間のきれいな分離を与えるよう適合されており、該外側表面の該低粘着性部分が該試験表面とほとんど接着しないように適合され、該凸面表面の該低粘着性部分が該可撓性のシートの該軸長さに広がっている、可撓性のシート；ならびに
該可撓性のシートの該外部表面に近接している整列マークであって、該整列マークが該可撓性の表面上の粒子の特徴を再現するように構成されており、それによって
該マニピュレーター手段が該円柱形コアと機械的に係合し、
該マニピュレーター手段が、最初に該試験表面に交差して該粘着性外部表面の該部分を回転させることによって、除去可能な粒子を該試験表面から該外部表面の該粘着性部分に移動させ、
該マニピュレーター手段が、該外部表面の該低粘着性部分のみが該試験表面と接触する向きに該外部表面を最初に回転させ、続いて該円柱形コアを該試験表面におよそ垂直な該試験表面から遠くに移動させることによって、該外部表面の該粘着性部分を該試験表面から取り外し、
該スキャナ手段が、該軸特徴を機械的に係合させることによって該円柱形コアを受け、そして
該スキャナ手段が、該可撓性のシートの該外部表面の該接着性部分上の粒子の座標を検出し、該スキャナ手段が、該可撓性シートの該外部表面に近接する該整列表面の整列マーク座標を検出し、そして該スキャナ手段が該整列マーク座標に対する該粒子の座標を参照する、
整列マーク
を備える、サンプラー。
【請求項１１】
除去可能な粒子を試験表面から得、該粒子を、外部表面を有する可撓性のシート上の粒子の座標を検出するスキャナ手段に輸送するためのサンプラーであって、該サンプラーがマニピュレーター手段によって該試験表面に適用され、該マニピュレーターが、接着解放手段を備え、該スキャナ手段が整列マーク座標に対して粒子の座標を移動させることが可能であり、該サンプラーが、以下：
凸面表面、軸および軸特徴を有する円柱形コアであって、該軸特徴は該円柱形コアが該マニピュレーター手段と機械的に係合することを可能にし、該軸特徴は該円柱形コアが該スキャナ手段と機械的に係合することを可能にする、円柱形コア；
内部表面および反対側の外部表面を有する可撓性のシートであって、該内部表面の一部が該円柱形コアの該凸面表面の一部と接着しており、該外部表面の一部が改変可能な粘着性表面を備え、該改変可能な粘着性表面が、該試験表面と該粘着性表面との間の接着の際に、除去可能な粒子を該試験表面から該改変可能な粘着性表面に移動するように適合されており、該接着開放手段が該改変可能な粘着性表面を該試験表面から容易に除去させる、可撓性のシート；ならびに
該可撓性のシートの該外部表面に近接している整列マークであって、該整列マークが該可撓性の表面上の粒子の特徴を再現するように構成されており、それにより、
該マニピュレーター手段が、該円柱形コアと機械的に係合し、
該マニピュレーター手段が、該改変可能な粘着表面を該試験表面に接着させることによって、除去可能な粒子を該試験表面から該改変可能な粘着表面に最初に移動させ、
該接着解放手段が、該粘着表面が該試験表面から容易に外れるよう該改変可能な粘着表面を改変し、
該マニピュレーター手段が、該改変された粘着性表面を該試験表面から取り外し、
該スキャナ手段が、該軸特徴を機械的に係合させることによって該円柱形コアを受け、そして
該スキャナ手段が、該改変可能な粘着性表面上の粒子の座標を検出し、該スキャナ手段が、該外部表面可撓性シートに近接する該整列マークの整列マーク座標を検出し、該スキャナ手段が該整列マーク座標に対する該粒子の座標を参照する、
整列マーク、
を備える、サンプラー。
【請求項１２】
除去可能な粒子をサンプラーを用いて試験表面から得、該粒子を、外部表面を有する可撓性のシート上の粒子の座標を検出するスキャナ手段に輸送するための方法であって、該サンプラーが、マニピュレーター手段によって該試験表面に適用されており、該スキャナ手段が整列マーク座標に対して粒子の座標を移動させ、該方法が、以下：
円柱形コアの軸特徴をマニピュレーター手段と係合させる工程であって、該円柱形コアが凸面表面および軸を有し、該凸面表面の一部が反対側の外部表面を有する可撓性シートの該内部表面の一部に接着しており、該外部表面が粘着性部分を備え、該粘着性部分は、接触および引き続く該試験表面と該粘着性部分との間の分離の際に、除去可能な粒子を該試験表面から該外部表面の該粘着性部分に移動させる間に、該試験表面と該外部表面の該粘着性部分との間のきれいな分離を与えるように適合されている、工程；
該試験表面に接触している該外部表面を回転させ、該試験表面を該マニピュレーター手段を用いて該外部表面の該粘着性部分に接着させることによって、該試験表面上の粒子をサンプリングする工程；
該円柱形コアを該試験表面に対する垂線にほぼ沿って、該試験表面から遠くへ移動させることによって、該試験表面から該外部表面を除去する工程；ならびに
該円柱形コアの軸特徴を該スキャナ手段と係合させる工程であって、これにより該スキャナ手段が該可撓性のシートの該外部表面の該粘着性部分上の粒子の座標を検出し、該スキャナ手段が該外部表面の可撓性シートに近接する該整列マークの整列マーク座標を検出し、該スキャナ手段が該整列マーク座標に対する該粒子の座標を参照する工程
を包含する、方法。
【請求項１３】
請求項１２に記載の方法であって、前記外部表面が粘着性部分および低粘着性部分を有し、該低粘着性部分が該外部表面の前記軸長さにわたるストリップを備え、該方法が、以下：
該外部表面を配向させ、該外部表面の該低粘着性部分が、該試験表面と接触し、その後該外部表面を前記試験表面から除去する工程、
をさらに包含する、方法。
【請求項１４】
除去可能な粒子をサンプラーを用いて試験表面から得、該粒子を凸面表面上の粒子の座標を検出するスキャナ手段に輸送するための方法であって、該サンプラーが、回転連結を有するハンドル手段を用いてオペレーターによって操作され、該スキャナ手段が整列マーク座標に対して粒子の座標を移動させ得、該スキャナ手段が該ハンドル手段を機械的に係合し得、該方法が、以下：
該ハンドル手段の回転連結を凸面表面を有するほぼ円柱形のキャリヤーの軸特徴と係合させる工程であって、該凸面表面が粘着部分および低粘着部分を有し、該凸面表面の該粘着性部分が、接触および引き続く該試験表面と該粘着性部分との間の分離の際に、除去可能な粒子を該試験表面から該外部表面の該粘着性部分に移動させる間に、該試験表面と該凸面表面の該粘着性部分との間のきれいな分離を与えるように適合されており、該凸面表面の該粘着性部分が該試験表面とほとんど接着しないように適合され、該凸面表面の該低粘着性部分が該凸面表面の該粘着性部分の該軸長さにわたる、工程；
該試験表面に接触している該凸面表面を回転させ、該試験表面を該ハンドル手段のオペレーターによる操作によって該凸面表面の該粘着性部分に接着させることによって、該試験表面上の粒子をサンプリングする工程；
該試験表面が該凸面表面の該低粘着性部分と接触しており、かつ該試験表面が該外部表面の該粘着性部分と接触していない構成へと、該キャリヤーを最初に回転させ、続いて該キャリヤーを該試験表面から遠くへ移動させることによって、該凸面表面を該試験表面から除去する工程；ならびに
該キャリヤーに装着された該ハンドル手段を該スキャナ手段と係合させる工程であって、これにより該スキャナ手段が該可撓性シートの該凸面表面上の粒子の座標を検出し、該スキャナ手段が該凸面表面に近接する該整列マークの整列マーク座標を検出し、該スキャナ手段が該整列マーク座標に対する該粒子の座標を参照する工程、
を包含する、方法。
【国際調査報告】
2005521886.tif 000025